【手続補正書】
【提出日】平成18年4月17日(2006.4.17)
【手続補正１】
【補正対象書類名】明細書
【補正対象項目名】特許請求の範囲
【補正方法】変更
【補正の内容】
【特許請求の範囲】
【請求項１】  以下の式の化合物であって：
【化１】
2002512997.tif 000001
ここで：
Ｘは、−Ｃ（Ｏ）−Ｎ（Ｒ6）−、−Ｎ（Ｒ6）−Ｃ（Ｏ）−、−ＣＨ2−Ｎ（Ｒ6）−、−Ｎ（Ｒ6）−ＣＨ2−、−Ｎ（Ｒ6）−Ｓ（Ｏ）2−、−Ｓ（Ｏ）2−Ｎ（Ｒ6）−、−Ｃ（Ｒ12）（Ｒ12）−Ｃ（Ｏ）−、−Ｃ（Ｏ）−Ｃ（Ｒ12）（Ｒl2）−、−Ｃ（Ｒ12）（Ｒ12）−Ｓ（Ｏ）2−、−Ｓ（Ｏ）2−Ｃ（Ｒ12）（Ｒ12）−、−Ｓ（Ｏ）2−Ｏ−、−Ｏ−Ｓ（Ｏ）2−、−ＮＲ6−Ｃ（Ｏ）−Ｙ−またはＹ−Ｃ（Ｏ）−ＮＲ6−から選択され；ここで
各Ｒ6は、独立して、水素、Ｃ1〜Ｃ4直鎖または分枝アルキル、Ｃ2〜Ｃ4直鎖または分枝アルケニルもしくはアルキニル、Ａｒ−置換−Ｃ1〜Ｃ4直鎖または分枝アルキル、あるいはＡｒ−置換−Ｃ2〜Ｃ4直鎖または分枝アルケニルもしくはアルキニルから選択され；ここで、
Ｒ6は、必要に応じて、ハロ、ヒドロキシ、ニトロ、シアノまたはアミノから独立して選択される３個までの置換基で置換され；
各Ｒ12は、独立して、Ｒ6、Ｗ−［Ｃ1〜Ｃ4直鎖または分枝アルキル］、Ｗ−［Ｃ2〜Ｃ4直鎖または分枝アルケニルもしくはアルキニル］、Ａｒ−置換−［Ｗ−［Ｃ1〜Ｃ4直鎖または分枝アルキル］］、Ａｒ−置換−［Ｗ−［Ｃ2〜Ｃ4直鎖または分枝アルケニルもしくはアルキニル］］、Ｏ−Ａｒ、Ｎ（Ｒ6）−Ａｒ、Ｓ−Ａｒ、Ｓ（Ｏ）−Ａｒ、Ｓ（Ｏ）2−Ａｒ、Ｓ−Ｃ（Ｏ）Ｈ、Ｎ（Ｒ6）−Ｃ（Ｏ）ＨあるいはＯ−Ｃ（Ｏ）Ｈから選択され；ここで、
Ｗは、Ｏ−、Ｏ−Ｃ（Ｏ）−、Ｓ−、Ｓ（Ｏ）−、Ｓ（Ｏ）2−、Ｓ−Ｃ（Ｏ）−、Ｎ（Ｒ6）−またはＮ（Ｒ6）−Ｃ（Ｏ）−であり；そして、ここで、  各Ｒ12は、必要に応じて、かつ独立して、ハロ、ヒドロキシ、ニトロ、シアノまたはアミノから独立して選択される３個までの置換基で置換され；
Ｙは、−Ｏ−、−Ｓ−、−Ｃ≡Ｃ−、−Ｃ（Ｒ12）2−Ｃ（Ｒ12）2−、−Ｃ（Ｒ12）2−または−Ｃ（Ｒ12）＝Ｃ（Ｒ12）−から選択され；
Ｒl、Ｒ2、Ｒ3、Ｒ4、Ｒ5、Ｒ7、Ｒ8、Ｒ9、Ｒ10およびＲ11の各々は、独立して、水素、ハロ、ヒドロキシ、シアノ、ニトロ、アミノ、−Ｃ（Ｏ）ＮＨ2、Ｚ−［（Ｃ1〜Ｃ4）−直鎖または分枝アルキル］、Ｚ−［（Ｃ2〜Ｃ4）−直鎖または分枝アルケニルもしくはアルキニル］、Ａｒ−置換−［（Ｃ1〜Ｃ4）−直鎖または分枝アルキル］、Ａｒ−置換−［（Ｃ2〜Ｃ4）−直鎖または分枝アルケニルもしくはアルキニル］、Ａｒ、Ｑ−Ａｒ、［（Ｃ1〜Ｃ4）−直鎖または分枝アルキル］−Ｑ−Ａｒ、［（Ｃ2〜Ｃ4）−直鎖もしくは分枝アルケニルまたはアルキニル］−Ｑ−Ａｒ、Ｏ−［（Ｃ1〜Ｃ4）−直鎖または分枝アルキル］−Ｑ−Ａｒ、Ｏ−［（Ｃ2〜Ｃ4）−直鎖または分枝アルケニルもしくはアルキニル］−Ｑ−Ａｒから選択されるか、あるいはＲl、Ｒ2、Ｒ3、Ｒ4およびＲ5またはＲ7、Ｒ8、Ｒ9、Ｒ10およびＲ11のいずれかから選択される任意の２つの隣接基が、それらが結合する炭素原子と一緒になって、５〜６員芳香族炭素環式または複素環式環を形成し得；ここで、
Ｚは、結合、Ｏ−、Ｓ−、Ｓ（Ｏ）2−、Ｃ（Ｏ）−、ＯＣ（Ｏ）−、またはＮ（Ｈ）Ｃ（Ｏ）−から選択され；
Ｑは、Ｏ、−Ｏ−Ｃ（Ｏ）−、−Ｃ（Ｏ）−Ｏ−、−Ｎ（Ｈ）−Ｃ（Ｏ）−Ｏ−、−Ｏ−Ｎ（Ｈ）−Ｃ（Ｏ）−、−Ｎ（Ｈ）−Ｃ（Ｏ）−、−Ｃ（Ｏ）−Ｎ（Ｈ）−、−Ｏ−Ｃ（Ｏ）−Ｎ（Ｈ）−、または−Ｃ（Ｏ）−Ｎ（Ｈ）−Ｏ−から選択され；
Ａｒは、フェニル、１−ナフチル、２−ナフチル、インデニル、アズレニル、フルオレニル、アントラセニル、２−フリル、３−フリル、２−チエニル、３−チエニル、２−ピリジル、３−ピリジル、４−ピリジル、ピロリル、オキサゾリル、チアゾリル、イミダゾリル、ピラゾリル（ｐｙｒａｘｏｌｙｌ）、２−ピラゾリニル、ピラゾリジニル、イソキサゾリル、イソトリアゾリル、１，２，３−オキサジアゾリル、１，２，３−トリアゾリル、１，３，４−チアジアゾリル、ピリダジニル、ピリミジニル、ピラジニル、１，３，５−トリアジニル、１，３，５−トリチアニル、インドリジニル、インドリル、イソインドリル、３Ｈ−インドリル、インドリニル、ベンゾ［ｂ］フラニル、ベンゾ［ｂ］チオフェニル、１Ｈ−インダゾリル、ベンズイミダゾリル、ベンズチアゾリル、プリニル、４Ｈ−キノリジニル、キノリニル、イソキノリニル、１，２，３，４−テトラヒドロ−イソキノリニル、シンノリニル、フタラジニル、キナゾリニル、キノキサリニル、１，８−ナフチリジニル、ペリジニル（ｐｅｒｉｄｉｎｙｌ）、カルバゾリル、アクリジニル、フェナジニル、フェノチアジニルまたはフェノキサジニルあるいは他の化学的に可能な単環式、二環式または三環式環系から選択され、ここで、各環は５〜７環原子からなり、そしてここで各環はＮ、ＯおよびＳから独立して選択される０〜３個のヘテロ原子を含み；
Ｒ13は、［Ｃ1〜Ｃ12直鎖または分枝アルキル］または［Ｃ2〜Ｃ12直鎖または分枝アルケニルもしくはアルキニル］から選択され；ここでＲ13は、必要に応じて、Ｒ14またはＲ15から独立して選択される１〜４個の置換基で置換され、ここで、
各Ｒ14は、環１個あたり３〜７員からなる単環式または二環式環系であり、ここで該環系は、必要に応じて、Ｎ、ＯおよびＳから選択される４個までのヘテロ原子を含み；ここで該Ｎ、ＯまたはＳに隣接するＣＨ2は、Ｃ（Ｏ）で置換され得；ならびに、ここで、Ｒ14は、必要に応じて、（Ｃ1〜Ｃ4）−直鎖または分枝アルキル、（Ｃ2〜Ｃ4）−直鎖または分枝アルケニル、１，２−メチレンジオキシ、１，２−エチレンジオキシ、（ＣＨ2）n−Ｒ16、−Ｓ−（ＣＨ2）n−Ｒ16、−Ｓ（Ｏ）−（ＣＨ2）n−Ｒ16、−Ｓ（Ｏ）2−（ＣＨ2）n−Ｒl6、−Ｏ−（ＣＨ2）n−Ｒl6または−Ｎ（Ｒ18）−（ＣＨ2）n−Ｒ16から独立して選択される２個までの置換基を含み、
ここで、ｎは０、１または２であり；
Ｒ16は、ハロゲン、−ＣＮ、−ＮＯ2、−ＣＦ3、−ＯＣＦ3、−ＯＨ、−Ｓ−（Ｃ1〜Ｃ4）−アルキル、−Ｓ（Ｏ）−（Ｃ1〜Ｃ4）−アルキル、−Ｓ（Ｏ）2−（Ｃ1〜Ｃ4）−アルキル、−ＮＨ2、−ＮＨ−（Ｃ1〜Ｃ4）−アルキル、−Ｎ（（Ｃl〜Ｃ4）−アルキル）2、ＣＯＯＨ、Ｃ（Ｏ）−Ｏ−（Ｃ1〜Ｃ4）−アルキルまたはＯ−（Ｃ1〜Ｃ4）−アルキルから選択され；そして、
各Ｒ15は、−ＯＲ17または−Ｎ（Ｒ18）2から独立して選択され；
Ｒ17は、水素、−（Ｃ1〜Ｃ6）−直鎖アルキル、−（Ｃ1〜Ｃ6）−直鎖アルキル−Ａｒ、−Ｃ（Ｏ）−（Ｃ1〜Ｃ6）−直鎖または分枝アルキル、−Ｃ（Ｏ）−Ａｒ、あるいは−（Ｃ1〜Ｃ6）−直鎖アルキル−ＣＮから選択され；そして、
各Ｒ18は、−（Ｃ1〜Ｃ6）−直鎖または分枝アルキル、−（Ｃ1〜Ｃ6）−直鎖または分枝アルキル−Ａｒ、−（Ｃ1〜Ｃ6）−直鎖アルキル−ＣＮ、−（Ｃ1〜Ｃ6）−直鎖アルキル−ＯＨ、−（Ｃ1〜Ｃ6）−直鎖アルキル−ＯＲ17、−Ｃ（Ｏ）−（Ｃ1〜Ｃ6）−直鎖または分枝アルキル、−Ｃ（Ｏ）−Ａｒ、−Ｓ（Ｏ）2−（Ｃ1〜Ｃ6）−直鎖または分枝アルキル、あるいは−Ｓ（Ｏ）2−Ａｒから独立して選択され、ここで、
任意のアルキル、アルケニルまたはアルキニル基は、必要に応じて、１〜３個の独立して選択されるハロ基で置換され；そして、
任意のＡｒ、芳香族炭素環式環または複素環式環は、ハロ、ヒドロキシ、ニトロ、シアノ、アミノ、（Ｃ1〜Ｃ4）−直鎖または分枝アルキル；Ｏ−（Ｃ1〜Ｃ4）−直鎖または分枝アルキル、（Ｃ2〜Ｃ4）−直鎖または分枝アルケニルもしくはアルキニル、あるいはＯ−（Ｃ2〜Ｃ4）−直鎖または分枝アルケニルもしくはアルキニルから独立して選択される１〜３個の置換基で必要に応じて置換され；
任意のＡｒ、芳香族炭素環式環または複素環式環は必要に応じてベンゾ縮合され；ただし：
Ｒ1、Ｒ2、Ｒ3、Ｒ4、またはＲ5のうちの少なくとも２個は水素であり；
Ｒ1、Ｒ2、Ｒ3、Ｒ4、またはＲ5のうちの２個以下がＡｒを含み；
Ｒ7、Ｒ8、Ｒ9、Ｒ10、またはＲ11のうちの少なくとも２個は水素であり；そして、
Ｒ7、Ｒ8、Ｒ9、Ｒ10、またはＲ11のうちの２個以下がＡｒを含み；
Ｘが−Ｃ（Ｏ）−Ｎ（Ｒ6）−または−Ｎ（Ｒ6）−Ｃ（Ｏ）−である場合、Ｒ1、Ｒ2、Ｒ3、Ｒ4およびＲ5あるいはＲ7、Ｒ8、Ｒ9、Ｒ10およびＲ11のいずれかから選択される２個の隣接基は、それらが結合する炭素原子と一緒になって６員芳香族炭素環式環を形成し得ず；
Ｘが−ＮＨ−Ｓ（Ｏ）2−または−Ｓ（Ｏ）2−Ｎ（Ｈ）−であり、
Ｒ1、Ｒ2、Ｒ3、Ｒ4、Ｒ5、Ｒ7、Ｒ8、Ｒ9、Ｒ10、またはＲ11のうちの１個がＯ−（Ｃ1〜Ｃ4）−直鎖または分枝アルキルであり、そして
Ｒ1、Ｒ2、Ｒ3、Ｒ4、Ｒ5、Ｒ7、Ｒ8、Ｒ9、Ｒ10、またはＲ11のうちの７個が水素である場合に、
Ｒ1、Ｒ2、Ｒ3、Ｒ4、Ｒ5、Ｒ7、Ｒ8、Ｒ9、Ｒ10、またはＲ11のうちの残り２個が共に結合して５〜６員芳香族炭素環式または複素環式環を形成せず；
Ｘが−ＮＨ−Ｓ（Ｏ）2−または−Ｓ（Ｏ）2−Ｎ（Ｈ）−であり、
Ｒ1、Ｒ2、Ｒ3、Ｒ4、Ｒ5、Ｒ7、Ｒ8、Ｒ9、Ｒ10、またはＲ11のうちの２個がＯ−（Ｃ1〜Ｃ4）−直鎖または分枝アルキルであり、そして
Ｒ1、Ｒ2、Ｒ3、Ｒ4、Ｒ5、Ｒ7、Ｒ8、Ｒ9、Ｒ10、またはＲ11のうちの７個が水素である場合に、
Ｒ1、Ｒ2、Ｒ3、Ｒ4、Ｒ5、Ｒ7、Ｒ8、Ｒ9、Ｒ10、またはＲ11のうちの残り１個が−ＮＯ2、−ＣＮまたは−Ａｒではなく；
Ｘが−ＮＨ−Ｓ（Ｏ）2−または−Ｓ（Ｏ）2−Ｎ（Ｈ）−であり、
Ｒ1、Ｒ2、Ｒ3、Ｒ4、Ｒ5、Ｒ7、Ｒ8、Ｒ9、Ｒ10、またはＲ11のうちの２個がＯ−（Ｃ1〜Ｃ4）−直鎖または分枝アルキルであり、そして
Ｒ1、Ｒ2、Ｒ3、Ｒ4、Ｒ5、Ｒ7、Ｒ8、Ｒ9、Ｒ10、またはＲ11のうちの６個が水素である場合に、
Ｒ1、Ｒ2、Ｒ3、Ｒ4、Ｒ5、Ｒ7、Ｒ8、Ｒ9、Ｒ10、またはＲ11のうちの残り２個が両方ともがハロであることはなく；
Ｘが−ＮＨ−Ｓ（Ｏ）2−または−Ｓ（Ｏ）2−Ｎ（Ｈ）−であり、そして
Ｒ1、Ｒ2、Ｒ3、Ｒ4、Ｒ5、Ｒ7、Ｒ8、Ｒ9、Ｒ10、またはＲ11のうちの１個がＡｒである場合に、
Ｒ1、Ｒ2、Ｒ3、Ｒ4、Ｒ5、Ｒ7、Ｒ8、Ｒ9、Ｒ10、またはＲ11のうちの残り９個がそれぞれ水素ではなく；
Ｘが−Ｎ（Ｈ）−Ｃ（Ｏ）−Ｓ−または−Ｓ−Ｃ（Ｏ）−Ｎ（Ｈ）−であり、
Ｒ1、Ｒ2、Ｒ3、Ｒ4、Ｒ5、Ｒ7、Ｒ8、Ｒ9、Ｒ10、またはＲ11のうちの１個が−ＯＨであり、そして
Ｒ1、Ｒ2、Ｒ3、Ｒ4、Ｒ5、Ｒ7、Ｒ8、Ｒ9、Ｒ10、またはＲ11のうちの８個が水素である場合に、
Ｒ1、Ｒ2、Ｒ3、Ｒ4、Ｒ5、Ｒ7、Ｒ8、Ｒ9、Ｒ10、またはＲ11のうちの残り１個がハロではなく；
Ｘが−Ｎ（Ｈ）−Ｃ（Ｏ）−Ｓ−または−Ｓ−Ｃ（Ｏ）−Ｎ（Ｈ）−であり、
Ｒ1、Ｒ2、Ｒ3、Ｒ4、Ｒ5、Ｒ7、Ｒ8、Ｒ9、Ｒ10、またはＲ11のうちの１個が−ＯＨであり、
Ｒ1、Ｒ2、Ｒ3、Ｒ4、Ｒ5、Ｒ7、Ｒ8、Ｒ9、Ｒ10、またはＲ11のうちの７個が水素であり、そして
Ｒ1、Ｒ2、Ｒ3、Ｒ4、Ｒ5、Ｒ7、Ｒ8、Ｒ9、Ｒ10、またはＲ11のうちの１個がＯ−（Ｃ1〜Ｃ4）−直鎖または分枝アルキルである場合に、
Ｒ1、Ｒ2、Ｒ3、Ｒ4、Ｒ5、Ｒ7、Ｒ8、Ｒ9、Ｒ10、またはＲ11のうちの残り１個がハロまたは（Ｃ1〜Ｃ4）−直鎖または分枝アルキルではない、
化合物。
【請求項２】  Ｘが、−Ｃ（Ｏ）−Ｎ（Ｒ6）−、−Ｎ（Ｒ6）−Ｃ（Ｏ）−、−ＣＨ2−Ｎ（Ｒ6）−または−Ｎ（Ｒ6）−ＣＨ2−から選択される、請求項１に記載の化合物。
【請求項３】  Ｒ1が、Ｈ、（Ｃ1〜Ｃ4）−直鎖または分枝アルキル、ＯＨ、Ｏ−（Ｃ1〜Ｃ4）−直鎖または分枝アルキル、Ｏ−Ａｒ、ＯＣＦ3、ハロ、シアノあるいはＳ−（Ｃ1〜Ｃ4）−直鎖または分枝アルキルから選択される、請求項１に記載の化合物。
【請求項４】  Ｒ1がＨであり、そしてＲ2がＨではない、請求項２に記載の化合物。
【請求項５】  Ｒ2がＨ、（Ｃ1〜Ｃ4）−直鎖または分枝アルキル、Ａｒ、Ｏ−（Ｃ1〜Ｃ4）−直鎖または分枝アルキル、Ｏ−Ａｒ、ＯＣＦ3、ハロ、シアノ、Ｃ（Ｏ）ＮＨ2あるいはＳ（Ｏ）2−（Ｃ1〜Ｃ4）−直鎖または分枝アルキルから選択される、請求項１に記載の化合物。
【請求項６】  Ｒ2がＨである、請求項５に記載の化合物。
【請求項７】  Ｒ3がＨ、Ａｒ、シアノ、Ｏ−（Ｃ1〜Ｃ4）−直鎖または分枝アルキル、Ｏ−Ａｒ、Ｓ−（Ｃ1〜Ｃ4）−直鎖または分枝アルキル、ＣＦ3あるいはＯＣＦ3から選択される、請求項１に記載の化合物。
【請求項８】  Ｒ4がＨ、（Ｃ1〜Ｃ4）−直鎖または分枝アルキル、ＯＨ、Ｏ−（Ｃ1〜Ｃ4）−直鎖または分枝アルキル、Ｏ−Ａｒ、ＯＣＦ3、ハロ、シアノ、あるいはＳ−（Ｃ1〜Ｃ4）−直鎖または分枝アルキルから選択される、請求項１に記載の化合物。
【請求項９】  Ｒ5がＨ、（Ｃ1〜Ｃ4）−直鎖または分枝アルキル、Ａｒ、Ｏ−（Ｃ1〜Ｃ4）−直鎖または分枝アルキル、Ｏ−Ａｒ、ＯＣＦ3、ハロ、シアノ、Ｃ（Ｏ）ＮＨ2、あるいはＳ（Ｏ）2−（Ｃ1〜Ｃ4）−直鎖または分枝アルキルから選択される、請求項１に記載の化合物。
【請求項１０】  Ｒ5がＨである、請求項９に記載の化合物。
【請求項１１】  Ｒ7がＨ、ＯＨ、ＯＣ（Ｏ）−（Ｃ1〜Ｃ4）−直鎖または分枝アルキル、Ｏ−（Ｃ1〜Ｃ4）−直鎖または分枝アルキル、Ｏ−Ａｒ、アミノ、あるいはＮ（Ｈ）Ｃ（Ｏ）−（Ｃ1〜Ｃ4）−直鎖または分枝アルキルから選択される、請求項１に記載の化合物。
【請求項１２】  Ｒ7がＯＨである、請求項１１に記載の化合物。
【請求項１３】  Ｒ8がＨ、（Ｃ1〜Ｃ4）−直鎖または分枝アルキル、Ｏ−（Ｃ1〜Ｃ4）−直鎖または分枝アルキル、あるいは（Ｃ1〜Ｃ4）−直鎖または分枝アルキル−Ｎ（Ｈ）Ｃ（Ｏ）Ｏ−Ａｒである、請求項１に記載の化合物。
【請求項１４】  Ｒ9がＨ、（Ｃ1〜Ｃ4）−直鎖または分枝アルキル、Ｏ−（Ｃ1〜Ｃ4）−直鎖または分枝アルキルから選択されるか、あるいはＲ9はＲ10およびそれらが結合する炭素原子と一緒になって縮合ベンゼン環を形成する、請求項１に記載の化合物。
【請求項１５】  Ｒ9およびＲ10が、それらが結合する炭素原子と一緒になって縮合ベンゼン環を形成する、請求項１４に記載の化合物。
【請求項１６】  Ｒ10がＨ、（Ｃ1〜Ｃ4）−直鎖または分枝アルキル、Ｏ−（Ｃ1〜Ｃ4）−直鎖または分枝アルキルである、請求項１に記載の化合物。
【請求項１７】  Ｒ11がＨ、ＯＨ、ＯＣ（Ｏ）−（Ｃ1〜Ｃ4）−直鎖または分枝アルキル、Ｏ−（Ｃ1〜Ｃ4）−直鎖または分枝アルキル、Ｏ−Ａｒ、アミノ、あるいはＮ（Ｈ）Ｃ（Ｏ）−（Ｃ1〜Ｃ4）−直鎖または分枝アルキルから選択される、請求項１に記載の化合物。
【請求項１８】  Ｒ11がＨである、請求項１７に記載の化合物。
【請求項１９】  組成物であって、以下のａ）およびｂ）：
ａ）以下の式の化合物：
【化２】
2002512997.tif 000002
ここで：
Ｘは、−Ｃ（Ｏ）−Ｎ（Ｒ6）−、−Ｎ（Ｒ6）−Ｃ（Ｏ）−、−ＣＨ2−Ｎ（Ｒ6）−、−Ｎ（Ｒ6）−ＣＨ2−、−Ｎ（Ｒ6）−Ｓ（Ｏ）2−、−Ｓ（Ｏ）2−Ｎ（Ｒ6）−、−Ｃ（Ｒ12）（Ｒ12）−Ｃ（Ｏ）−、−Ｃ（Ｏ）−Ｃ（Ｒ12）（Ｒl2）−、−Ｃ（Ｒ12）（Ｒ12）−Ｓ（Ｏ）2−、−Ｓ（Ｏ）2−Ｃ（Ｒ12）（Ｒ12）−、−Ｓ（Ｏ）2−Ｏ−、−Ｏ−Ｓ（Ｏ）2−、−ＮＲ6−Ｃ（Ｏ）−Ｙ−またはＹ−Ｃ（Ｏ）−ＮＲ6−から選択され；ここで
各Ｒ6は、独立して、水素、Ｃ1〜Ｃ4直鎖または分枝アルキル、Ｃ2〜Ｃ4直鎖または分枝アルケニルもしくはアルキニル、Ａｒ−置換−Ｃ1〜Ｃ4直鎖または分枝アルキルあるいはＡｒ−置換−Ｃ2〜Ｃ4直鎖または分枝アルケニルもしくはアルキニルから選択され；ここで、
Ｒ6は、必要に応じて、ハロ、ヒドロキシ、ニトロ、シアノまたはアミノから独立して選択される３個までの置換基で置換され；
各Ｒ12は、独立して、Ｒ6、Ｗ−［Ｃ1〜Ｃ4直鎖または分枝アルキル］、Ｗ−［Ｃ2〜Ｃ4直鎖または分枝アルケニルもしくはアルキニル］、Ａｒ−置換−［Ｗ−［Ｃ1〜Ｃ4直鎖または分枝アルキル］］、Ａｒ−置換−［Ｗ−［Ｃ2〜Ｃ4直鎖または分枝アルケニルもしくはアルキニル］］、Ｏ−Ａｒ、Ｎ（Ｒ6）−Ａｒ、Ｓ−Ａｒ、Ｓ（Ｏ）−Ａｒ、Ｓ（Ｏ）2−Ａｒ、Ｓ−Ｃ（Ｏ）Ｈ、Ｎ（Ｒ6）−Ｃ（Ｏ）ＨあるいはＯ−Ｃ（Ｏ）Ｈから選択され；ここで、
Ｗは、Ｏ−、Ｏ−Ｃ（Ｏ）−、Ｓ−、Ｓ（Ｏ）−、Ｓ（Ｏ）2−、Ｓ−Ｃ（Ｏ）−、Ｎ（Ｒ6）−またはＮ（Ｒ6）−Ｃ（Ｏ）−であり；そしてここで、
各Ｒ12は、必要に応じて、かつ独立して、ハロ、ヒドロキシ、ニトロ、シアノまたはアミノから独立して選択される３個までの置換基で置換され；
Ｙは、−Ｏ−、−Ｓ−、−Ｃ≡Ｃ−、−Ｃ（Ｒ12）2−Ｃ（Ｒ12）2−、−Ｃ（Ｒ12）2−または−Ｃ（Ｒ12）＝Ｃ（Ｒ12）−から選択され；
Ｒl、Ｒ2、Ｒ3、Ｒ4、Ｒ5、Ｒ7、Ｒ8、Ｒ9、Ｒ10およびＲ11の各々は、水素、ハロ、ヒドロキシ、シアノ、ニトロ、アミノ、−Ｃ（Ｏ）ＮＨ2、Ｚ−［（Ｃ1〜Ｃ4）−直鎖または分枝アルキル］、Ｚ−［（Ｃ2〜Ｃ4）−直鎖または分枝アルケニルもしくはアルキニル］、Ａｒ−置換−［（Ｃ1〜Ｃ4）−直鎖または分枝アルキル］、Ａｒ−置換−［（Ｃ2〜Ｃ4）−直鎖または分枝アルケニルもしくはアルキニル］、Ａｒ、Ｑ−Ａｒ、［（Ｃ1〜Ｃ4）−直鎖または分枝アルキル］−Ｑ−Ａｒ、［（Ｃ2〜Ｃ4）−直鎖または分枝アルケニルもしくはアルキニル］−Ｑ−Ａｒ、Ｏ−［（Ｃ1〜Ｃ4）−直鎖または分枝アルキル］−Ｑ−Ａｒ、Ｏ−［（Ｃ2〜Ｃ4）−直鎖または分枝アルケニルもしくはアルキニル］−Ｑ−Ａｒ、［Ｃ1〜Ｃ4直鎖または分枝アルキル］−Ｑ−Ｒ13、［Ｃ2〜Ｃ4直鎖または分枝アルケニルもしくはアルキニル］−Ｑ−Ｒ13から選択されるか、あるいはＲl、Ｒ2、Ｒ3、Ｒ4およびＲ5またはＲ7、Ｒ8、Ｒ9、Ｒ10およびＲ11のいずれかから選択される任意の２つの隣接基が、それらが結合する炭素原子と一緒になって、５〜６員芳香族炭素環式または複素環式環を形成し得；
ここで、
Ｚは、結合、Ｏ−、Ｓ−、Ｓ（Ｏ）2−、Ｃ（Ｏ）−、ＯＣ（Ｏ）−、またはＮ（Ｈ）Ｃ（Ｏ）−から選択され；
Ｑは、Ｏ、−Ｏ−Ｃ（Ｏ）−、−Ｃ（Ｏ）−Ｏ−、−Ｎ（Ｈ）−Ｃ（Ｏ）−Ｏ−、−Ｏ−Ｎ（Ｈ）−Ｃ（Ｏ）−、−Ｎ（Ｈ）−Ｃ（Ｏ）−、−Ｃ（Ｏ）−Ｎ（Ｈ）−、−Ｏ−Ｃ（Ｏ）−Ｎ（Ｈ）−、または−Ｃ（Ｏ）−Ｎ（Ｈ）−Ｏ−から選択され；
Ａｒは、フェニル、１−ナフチル、２−ナフチル、インデニル、アズレニル、フルオレニル、アントラセニル、２−フリル、３−フリル、２−チエニル、３−チエニル、２−ピリジル、３−ピリジル、４−ピリジル、ピロリル、オキサゾリル、チアゾリル、イミダゾリル、ピラゾリル（ｐｙｒａｘｏｌｙｌ）、２−ピラゾリニル、ピラゾリジニル、イソキサゾリル、イソトリアゾリル、１，２，３−オキサジアゾリル、１，２，３−トリアゾリル、１，３，４−チアジアゾリル、ピリダジニル、ピリミジニル、ピラジニル、１，３，５−トリアジニル、１，３，５−トリチアニル、インドリジニル、インドリル、イソインドリル、３Ｈ−インドリル、インドリニル、ベンゾ［ｂ］フラニル、ベンゾ［ｂ］チオフェニル、１Ｈ−インダゾリル、ベンズイミダゾリル、ベンズチアゾリル、プリニル、４Ｈ−キノリジニル、キノリニル、イソキノリニル、１，２，３，４−テトラヒドロ−イソキノリニル、シンノリニル、フタラジニル、キナゾリニル、キノキサリニル、１，８−ナフチリジニル、ペリジニル（ｐｅｒｉｄｉｎｙｌ）、カルバゾリル、アクリジニル、フェナジニル、フェノチアジニルまたはフェノキサジニルあるいは他の化学的に可能な単環式、二環式または三環式環系から選択され、ここで、各環は５〜７環原子からなり、そしてここで各環はＮ、ＯおよびＳから独立して選択される０〜３個のヘテロ原子を含み；
Ｒ13は、［Ｃ1〜Ｃ12直鎖または分枝アルキル］あるいは［Ｃ2〜Ｃ12直鎖または分枝アルケニルもしくはアルキニル］から選択され；ここでＲ13は、必要に応じて、Ｒ14またはＲ15から独立して選択される１〜４個の置換基で置換され、ここで、
各Ｒ14は、環１個あたり３〜７員からなる単環式または二環式環系であり、ここで該環系は、必要に応じて、Ｎ、ＯおよびＳから選択される４個までのヘテロ原子を含み；ここで該Ｎ、ＯまたはＳに隣接するＣＨ2は、Ｃ（Ｏ）で置換され得；そしてここで、Ｒ14は、必要に応じて、（Ｃ1〜Ｃ4）−直鎖または分枝アルキル、（Ｃ2〜Ｃ4）直鎖または分枝アルケニル、１，２−メチレンジオキシ、１，２−エチレンジオキシ、（ＣＨ2）n−Ｒ16、−Ｓ−（ＣＨ2）n−Ｒ16、−Ｓ（Ｏ）−（ＣＨ2）n−Ｒ16、−Ｓ（Ｏ）2−（ＣＨ2）n−Ｒl6、−Ｏ−（ＣＨ2）n−Ｒl6または−Ｎ（Ｒ18）−（ＣＨ2）n−Ｒ16から独立して選択される２個までの置換基を含み、
ここで、ｎは０、１または２であり；
Ｒ16は、ハロゲン、−ＣＮ、−ＮＯ2、−ＣＦ3、−ＯＣＦ3、−ＯＨ、−Ｓ−（Ｃ1〜Ｃ4）−アルキル、−Ｓ（Ｏ）−（Ｃ1〜Ｃ4）−アルキル、−Ｓ（Ｏ）2−（Ｃ1〜Ｃ4）−アルキル、−ＮＨ2、−ＮＨ−（Ｃ1〜Ｃ4）−アルキル、−Ｎ（（Ｃl〜Ｃ4）−アルキル）2、ＣＯＯＨ、Ｃ（Ｏ）−Ｏ−（Ｃ1〜Ｃ4）−アルキルまたはＯ−（Ｃ1〜Ｃ4）−アルキルから選択され；そして、
各Ｒ15は、−ＯＲ17または−Ｎ（Ｒ18）2から独立して選択され；
Ｒ17は、水素、−（Ｃ1〜Ｃ6）−直鎖アルキル、−（Ｃ1〜Ｃ6）−直鎖アルキル−Ａｒ、−Ｃ（Ｏ）−（Ｃ1〜Ｃ6）−直鎖または分枝アルキル、−Ｃ（Ｏ）−Ａｒ、あるいは−（Ｃ1〜Ｃ6）−直鎖アルキル−ＣＮから選択され；そして、
各Ｒ18は、−（Ｃ1〜Ｃ6）直鎖または分枝アルキル、−（Ｃ1〜Ｃ6）−直鎖または分枝アルキル−Ａｒ、−（Ｃ1〜Ｃ6）−直鎖アルキル−ＣＮ、−（Ｃ1〜Ｃ6）−直鎖アルキル−ＯＨ、−（Ｃ1〜Ｃ6）−直鎖アルキル−ＯＲ17、−Ｃ（Ｏ）−（Ｃ1〜Ｃ6）−直鎖または分枝アルキル、−Ｃ（Ｏ）−Ａｒ、−Ｓ（Ｏ）2−（Ｃ1〜Ｃ6）直鎖または分枝アルキル、あるいは−Ｓ（Ｏ）2−Ａｒから独立して選択され；ここで
任意のアルキル、アルケニルまたはアルキニル基は、必要に応じて、１〜３個の独立して選択されるハロ基で置換され；そして、
任意のＡｒ、芳香族炭素環式環または複素環式環は、ハロ、ヒドロキシ、ニトロ、シアノ、アミノ、（Ｃ1〜Ｃ4）−直鎖または分枝アルキル；Ｏ−（Ｃ1〜Ｃ4）−直鎖または分枝アルキル、（Ｃ2〜Ｃ4）−直鎖または分枝アルケニルもしくはアルキニル、あるいはＯ−（Ｃ2〜Ｃ4）−直鎖または分枝アルケニルもしくはアルキニルから独立して選択される１〜３個の置換基で必要に応じて置換され；
任意のＡｒ、芳香族炭素環式環または複素環式環は必要に応じてベンゾ縮合され；ただし：
Ｒ1、Ｒ2、Ｒ3、Ｒ4、またはＲ5のうちの少なくとも２個は水素であり；
Ｒ1、Ｒ2、Ｒ3、Ｒ4、またはＲ5のうちの２個以下がＡｒを含み；
Ｒ7、Ｒ8、Ｒ9、Ｒ10、またはＲ11のうちの少なくとも２個は水素であり；そして、
Ｒ7、Ｒ8、Ｒ9、Ｒ10、またはＲ11のうちの２個以下がＡｒを含み；
Ｘが−Ｃ（Ｏ）−Ｎ（Ｒ6）−または−Ｎ（Ｒ6）−Ｃ（Ｏ）−である場合、
Ｒ1、Ｒ2、Ｒ3、Ｒ4およびＲ5あるいはＲ7、Ｒ8、Ｒ9、Ｒ10およびＲ11のいずれかから選択される２個の隣接基は、それらが結合する炭素原子と一緒になって６員芳香族炭素環式環を形成し得ない；ならびに
ｂ）薬学的に受容可能なキャリア、アジュバントまたはビヒクル、を含有する、組成物。
【請求項２０】  免疫抑制剤、抗癌剤、抗ウィルス剤、抗炎症剤、抗真菌剤、抗生物質または抗血管過剰増殖性化合物から選択されるさらなる薬剤をさらに含有する、請求項１９に記載の組成物。
【請求項２１】  哺乳動物におけるＩＭＰＤＨ−媒介性疾患または状態を処置または予防するための医薬を調製するための、請求項１９または２０に記載の組成物の使用。
【請求項２２】  前記ＩＭＰＤＨ媒介性疾患または状態が、移植拒絶、対宿主性移植片病、自己免疫疾患から選択される、請求項２１に記載の使用。
【請求項２３】  哺乳動物におけるウィルス複製を阻害するための医薬を調製するための、請求項１９または２０に記載される組成物の使用。
【請求項２４】  請求項２３に記載の使用であって、阻害されるべき前記ウィルス複製が、オルトミクソウィルス、パラミクソウィルス、ヘルペスウィルス、レトロウィルス、フラビウィルス、ペスチウィルス、ヘパトトロフィックウィルス、ブンヤウィルス属、Ｈａｎｔａａｎウィルス、Ｃａｒａｐａｒｕウィルス、ヒトパピローマウィルス、脳炎ウィルス、アレナウィルス、レオウィルス、水泡性口内炎ウィルス、ライノウィルス、エンテロウィルス、ラッサ熱ウィルス、トガウィルス、ポックスウィルス、アデノウィルス、麻疹または風疹から選択されるウィルスの複製である、使用。
【請求項２５】  哺乳動物における血管細胞過剰増殖を阻害するための医薬の調製のための請求項１９または２０に記載の組成物の使用。
【請求項２６】  前記方法が、再狭窄、狭窄、動脈硬化、または他の過剰増殖性血管疾患を処置または予防する際に有用である、請求項２５に記載の使用。
【請求項２７】  哺乳動物における腫瘍および癌を阻害するための医薬の調製のための請求項１９および２０に記載の組成物の使用。
【請求項２８】  前記医薬が、リンパ腫、白血病および他の形態の癌を予防または処置するために有用である、請求項２７に記載の使用。
【請求項２９】  哺乳動物における炎症または炎症性疾患を阻害するための医薬の調製のための請求項１９または２０に記載の組成物の使用。
【請求項３０】  前記医薬が、変形性骨関節炎、急性膵炎、慢性膵炎、喘息または成人型呼吸窮迫症候群の処置または予防のために有用である、請求項２９に記載の使用。
【請求項３１】  Ｘが−Ｎ（Ｒ6）−Ｃ（Ｏ）−Ｙ−である、請求項１に記載の化合物。
【請求項３２】  Ｙが−Ｃ（Ｒ12）＝Ｃ（Ｒ12）−である、請求項３１に記載の化合物。
【請求項３３】  Ｑが−Ｎ（Ｈ）−Ｃ（Ｏ）−Ｏ−である、請求項１に記載の化合物。
【請求項３４】  Ｘが−Ｎ（Ｒ6）−Ｃ（Ｏ）−Ｙ−である、請求項１９または２０に記載の組成物。
【請求項３５】  Ｙが−Ｃ（Ｒ12）＝Ｃ（Ｒ12）−である、請求項３４に記載の組成物。
【請求項３６】  Ｑが−Ｎ（Ｈ）−Ｃ（Ｏ）−Ｏ−である、請求項１９または２０に記載の組成物。